【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
オーディオ信号を出力するイヤーホンにおいて、
ハウジングに固着しオーディオ信号を放音する振動板を有するドライバーユニットと、
前記ドライバーユニットにオーディオ信号を出力するヘッド保持部とを備え、
前記ヘッド保持部は、オーディオ信号を前記ドライバーユニットに出力するオーディオ信号出力部と、押圧されることにより前記オーディオ信号出力部に指示信号を出力する操作部とを備えることを特徴とするイヤーホン。
【請求項２】
請求項１記載のイヤーホンにおいて、
前記操作部は、押圧されることにより前記オーディオ信号出力部にオーディオ信号の再生開始または再生停止の指示信号を出力することを特徴とするイヤーホン。
【請求項３】
請求項１または２記載のイヤーホンにおいて、
前記操作部は、押圧されることにより前記オーディオ信号出力部にオーディオ信号の音量調節の指示信号を出力することを特徴とするイヤーホン。
【請求項４】
請求項１乃至３のいずれかに記載のイヤーホンにおいて、
前記操作部は、押圧されることにより前記オーディオ信号出力部にオーディオ信号の再生トラックの指定の指示信号を出力することを特徴とするイヤーホン。
【請求項５】
請求項１乃至４のいずれかに記載のイヤーホンにおいて、
前記操作部は、押圧されることにより前記オーディオ信号出力部にオーディオ信号の再生テンポの指定の指示信号を出力することを特徴とするイヤーホン。
【請求項６】
オーディオ信号を出力するネックバンド型イヤーホンにおいて、
弾性体により形成され湾曲を形成するネックバンド部と、
ハウジングに固着しオーディオ信号を放音する振動板を有するドライバーユニットと、
前記ネックバンド部の両端に接続され前記ネックバンド部が接続する面と対向する面に曲面部を備え前記ドライバーユニットにオーディオ信号を出力するヘッド保持部と、
湾曲を成した弾性体により形成され前記ヘッド保持部と前記ハウジングを接続するアーム部とを備え、
前記ヘッド保持部は、オーディオ信号を受信するオーディオ信号受信部と、
前記オーディオ信号受信部が受信したオーディオ信号を前記ドライバーユニットに出力するオーディオ信号出力部と、
前記ネックバンド部に対して前記ヘッド保持部の内側となる面に配設され凹型を形成した複数のディンプル部と、
前記ネックバンド部に対して前記ヘッド保持部の外側となる面に配設され内側に押圧されることにより前記オーディオ信号出力部に指示信号を出力する操作部とを備えることを特徴とするネックバンド型イヤーホン。
【請求項７】
請求項６記載のネックバンド型イヤーホンにおいて、
前記ディンプル部は、弾性体により形成されていることを特徴とするネックバンド型イヤーホン。
【請求項８】
請求項６または７記載のネックバンド型イヤーホンにおいて、
前記ヘッド保持部は、前記オーディオ信号受信部及びオーディオ信号出力部に電力を供給するバッテリーを備えることを特徴とするネックバンド型イヤーホン。
【手続補正２】
【補正対象書類名】明細書
【補正対象項目名】発明の名称
【補正方法】変更
【補正の内容】
【発明の名称】イヤーホン及びネックバンド型イヤーホン
【手続補正３】
【補正対象書類名】明細書
【補正対象項目名】００１７
【補正方法】変更
【補正の内容】
【００１７】
本願発明は、オーディオ信号を出力するイヤーホンにおいて、ハウジングに固着しオーディオ信号を放音する振動板を有するドライバーユニットと、前記ドライバーユニットにオーディオ信号を出力するヘッド保持部とを備え、前記ヘッド保持部は、オーディオ信号を前記ドライバーユニットに出力するオーディオ信号出力部と、押圧されることにより前記オーディオ信号出力部に指示信号を出力する操作部とを備えることを特徴とする。
【手続補正４】
【補正対象書類名】明細書
【補正対象項目名】００１８
【補正方法】変更
【補正の内容】
【００１８】
また、本願発明は、イヤーホンにおいて、操作部は、押圧されることによりオーディオ信号出力部にオーディオ信号の再生開始または再生停止の指示信号を出力することを特徴とする。
【手続補正５】
【補正対象書類名】明細書
【補正対象項目名】００１９
【補正方法】変更
【補正の内容】
【００１９】
また、本願発明は、イヤーホンにおいて、操作部は、押圧されることによりオーディオ信号出力部にオーディオ信号の音量調節の指示信号を出力することを特徴とする。
【手続補正６】
【補正対象書類名】明細書
【補正対象項目名】００２０
【補正方法】変更
【補正の内容】
【００２０】
また、本願発明は、イヤーホンにおいて、操作部は、押圧されることによりオーディオ信号出力部にオーディオ信号の再生トラックの指定の指示信号を出力することを特徴とする。
【手続補正７】
【補正対象書類名】明細書
【補正対象項目名】００２１
【補正方法】変更
【補正の内容】
【００２１】
また、本願発明は、イヤーホンにおいて、操作部は、押圧されることによりオーディオ信号出力部にオーディオ信号の再生テンポの指定の指示信号を出力することを特徴とする。
【手続補正８】
【補正対象書類名】明細書
【補正対象項目名】００２２
【補正方法】変更
【補正の内容】
【００２２】
また、本願発明は、オーディオ信号を出力するネックバンド型イヤーホンにおいて、弾性体により形成され湾曲を形成するネックバンド部と、ハウジングに固着しオーディオ信号を放音する振動板を有するドライバーユニットと、前記ネックバンド部の両端に接続され前記ネックバンド部が接続する面と対向する面に曲面部を備え前記ドライバーユニットにオーディオ信号を出力するヘッド保持部と、湾曲を成した弾性体により形成され前記ヘッド保持部と前記ハウジングを接続するアーム部とを備え、前記ヘッド保持部は、オーディオ信号を受信するオーディオ信号受信部と、前記オーディオ信号受信部が受信したオーディオ信号を前記ドライバーユニットに出力するオーディオ信号出力部と、前記ネックバンド部に対して前記ヘッド保持部の内側となる面に配設され凹型を形成した複数のディンプル部と、前記ネックバンド部に対して前記ヘッド保持部の外側となる面に配設され内側に押圧されることにより前記オーディオ信号出力部に指示信号を出力する操作部とを備えることを特徴とする。
【手続補正９】
【補正対象書類名】明細書
【補正対象項目名】００２３
【補正方法】変更
【補正の内容】
【００２３】
また、本願発明は、ネックバンド型イヤーホンにおいて、ディンプル部は、弾性体により形成されていることを特徴とする。
【手続補正１０】
【補正対象書類名】明細書
【補正対象項目名】００２４
【補正方法】変更
【補正の内容】
【００２４】
また、本願発明は、ネックバンド型イヤーホンにおいて、ヘッド保持部は、オーディオ信号受信部及びオーディオ信号出力部に電力を供給するバッテリーを備えることを特徴とする。
【手続補正１１】
【補正対象書類名】明細書
【補正対象項目名】００３０
【補正方法】変更
【補正の内容】
【００３０】
図２は、本発明の第１実施例のネックバンド型イヤーホンのクッション部の構造を説明する図であり、図２（ａ）は、中空タイプのクッション部を示す断面図であり、図２（ｂ）は、充填部材を充填したクッション部を示す断面図である。
図２(ｂ）に示すイヤーホンドライバー２０のホルダー本体６０は、複数の凸部８０からなるクッション部７０を備えている。当該クッション部７０は、前述したとおり、イヤーホンドライバー２０が装着者の耳介に装着されると、ホルダー本体６０が装着者の耳介の後ろ側の頭部に接触し、そのとき、ホルダー本体６０に備えられているクッション部７０が装着者の頭部に直接接触する。
【手続補正１２】
【補正対象書類名】明細書
【補正対象項目名】００３５
【補正方法】変更
【補正の内容】
【００３５】
また、クッション部７０の凸部８０は、図３（ｃ）に示すとおり、円形の凸部８０と多角形(三角形、四角形、または、それ以上の多角形)の凸部８０で構成されていてもよい。更に、凸部８０は、図３（ｄ）に示すとおり、多角形(三角形、四角形、または、それ以上の多角形)の凸部８０のみで構成されていてもよい。円形ではなく、多角形の形状の凸部８０を備えることにより、多角形の辺を有する面が、その面の方向に対する移動に抑制力が生じ、ホルダー本体６０の頭部との接触面のずれの防止になる。
【手続補正１３】
【補正対象書類名】明細書
【補正対象項目名】００３９
【補正方法】変更
【補正の内容】
【００３９】
以上のように、本実施例のネックバンド型イヤーホン１０は、イヤーホンドライバー２０のイヤーホルダー部５０と共にホルダー本体６０のクッション部７０により、装着者の頭部にしっかりとネックバンド型イヤーホン１０を装着させることができると共に、ネックバンド３０の先端部付近が装着者の頭部を締め付けることがないため、装着者が、不快感を得ることなく、安定した装着感で、長時間、ネックバンド型イヤーホン１０を装着することができる。
【手続補正１４】
【補正対象書類名】明細書
【補正対象項目名】００５１
【補正方法】変更
【補正の内容】
【００５１】
ドライバーユニット７００は、図示しない振動板を備え、当該振動版が孔３０３から内側に露呈するようにハウジング３００の内壁に接着剤等により固着される。ドライバーユニット７００は、リード線１４０が電気的に接続されている。リード線１４０は、孔３０１を介してアーム部５００の内部の空洞を経由して後述するヘッド保持部２００のオーディオ信号出力部と電気的に接続されている。
【手続補正１５】
【補正対象書類名】明細書
【補正対象項目名】００５２
【補正方法】変更
【補正の内容】
【００５２】
イヤーパッド４００は、ゴム部材等の弾性体により円筒型に形成され、前後に貫通する孔４０１を備える。イヤーパッド４００は、内周方向に突出した鍔部４０２を備える。イヤーパッド４００は、鍔部４０２が凸部３０４の溝部３０５にはめ込まれることによってハウジング３００の内側に保持された状態となる。